(57)【特許請求の範囲】
【請求項１】
少なくとも１種の食用界面活性乳化剤、および、クレゾール、グアヤコールおよびレゾルシノールの混合物、を含有するコクシジウム症の作用を減少するための家禽用敷料の処理用組成物。
【請求項２】
水溶性粉末または濃厚液の形態である、請求項１に記載の組成物。
【請求項３】
食用界面活性乳化剤が、オレイン酸モノ、ジおよびトリエステルの形の脂肪酸エトキシレート、モノ、ジおよびトリグリセリドのエトキシレート、ソルビトールと獣脂脂肪酸、大豆油、菜種油、ひまし油もしくは亜麻仁油から、またはココヤシ油から得られるオレイン酸もしくはひまし油の脂肪酸のモノまたはジエステルのエトキシレートのようなエステル類、ポリグリセリンエステル類、および脂肪酸ソルビトールエステル類、並びにエトキシル化アルコール類から選ばれる、請求項１または２に記載の組成物。
【請求項４】
下記成分：タンニン、チモール、オイゲノールおよびアネトールの１種または数種をも含む、請求項１〜３のいずれか１項に記載の組成物。
【請求項５】
タンニン、チモール、オイゲノールおよび／またはアネトール２０ｍｇ以下を含む、請求項４に記載の組成物。
【請求項６】
液体形の請求項１〜５のいずれか１項に記載の組成物を敷料１平方メートル当たり２０ないし１００ｍｌ敷料上に噴霧することを特徴とする、コクシジウム症の作用を減少させる家禽用敷料の処理方法。
【請求項７】
請求項１〜５のいずれか１項に記載の組成物を敷料上に噴霧して原生動物のスポロゾイト形成オーシストを減少させることを特徴とする、コクシジウム症の作用を減少させる方法。
【発明の詳細な説明】
この発明は、家禽用敷料(poultry litter)の処理用組成物、および家禽におけるコクシジウム症の害作用を軽減するためのこの組成物の使用法に関するものである。
コクシジウム症は、コクシジウムまたはスポロゾア型の大形原生動物の１種もしくは数種から起こる感染に起因する、特に家禽における疾患である。家禽の養育中に頻繁に見られるこれらの原生動物は、スポロゾイト形成オーシストの形で動物に摂取される。こうして、それらは動物の消化管中で、数個のスポロゾイト形成オーシストから出発して数百万個の非スポロゾイト形成オーシストが糞便物質中に排泄されるような、発生および増殖サイクルを経験する。感染力がない非スポロゾイト形成オーシストは、排泄後の糞便物質中、したがって敷料中に滞在する間にスポロゾイト形成感染性オーシストに変形する。しかし、非スポロゾイト形成オーシストの一部しかスポロゾイト形成オーシストに変換されない；しかるに、スポロゾイト形性の程度は糞便物質の状態すなわち含水量、酸素含量、ｐＨなどによって異なる。スポロゾイト形成が強ければ、再感染した動物は死亡するかまたは極めて低い成長と生産を経験するであろう。スポロゾイト形成が中度であれば、動物は軽い感染症にかかるだけであり、したがって免疫化されるであろう。
したがって、この発明の目的は、家禽用敷料中に配合するに適応した組成物であって、その作用が上記敷料中におけるオーシストのスポロゾイト形成減少に基づくものであり、家禽の病原体再感染の実用的な予防を可能にするものを提供することである。
ＧＢ−Ａ−２１０８３８９号により、殺生物剤として油性疎水性基剤中に溶解したアルキルベンゼンスルホン酸を含有する敷料の処理用消毒配合物が、既に知られている。このような組成物は、敷料それ自体に対してのみ作用することに適応したものであり、それらが含有する消毒剤はそれを摂取する動物に対して有害であり得る。
しかしながら、本発明者は、少なくとも１種の適当な食用界面活性乳化剤を敷料に配合すると、全く予期しないことに、家禽におけるコクシジウム症の害作用を顕著に減少する、さらに具体的には感染した敷料が原因となって重篤な病変を起こすオーシストのスポロゾイト形成を減少することにより、この発明が目的とする結果を得ることが可能になることを明らかにした。
したがって、この発明による、そして上記の目的を達成する、家禽用敷料の処理用組成物は、少なくとも1種の食用表面活性乳化剤を含むものである。
乳化剤は、上記の剤を１０ないし１００％含む水溶性粉末または液体形の形態で存在することができる；いずれの場合にも、粉末または液体は使用前に水溶液中に入れることができる。粉末の支持体としては、例えばぶどう糖を使用することができ、一方液体形は例えば水またはプロピレングリコール中のものである。
乳化剤または乳化薬は、好ましくは、生物系により認容され一般に親水性の性質をもつもの、例えば、オレイン酸モノ、ジおよびトリエステルの形の脂肪酸エトキシレート、モノ、ジおよびトリグリセリドのエトキシレート、ソルビトールと獣脂、大豆油、菜種油、ひまし油もしくは亜麻仁油、またはココヤシ油の脂肪酸から得られるオレイン酸もしくはリシノレイン酸のような脂肪酸のモノまたはジエステルのエトキシレートのようなエステル類、ポリグリセリンエステル類、および脂肪酸ソルビトールエステル類、並びにエトキシル化アルコール類から選ぶことができ、ひまし油から得られるエトキシレート類がさらに特別好ましい。
この発明の組成物による敷料の処理は、好ましくは４ないし５倍に希釈した上記の形態の一方または他方を用いて、敷料１平方メートル当たり２０ないし１００ｍｌの量で敷料上に液体組成物を単に噴霧することにより行うことができる。
さらに具体的には、食用界面活性剤は敷料中に１平方メートル当たり０．２ないし５．０ｇ、好ましくは１平方メートル当たり０．５ないし２ｇの量で含有させる。
変形態様として、食用界面活性乳化剤は、クレゾール、グアヤコールおよびレゾルシノール並びに所望により下記成分：タンニン、チモール、オイゲノールおよびアネトールの１種または数種の混合物と配合することができる。
具体例として、液体形態のこのような組成物は、クレゾール２．５ないし２０ｍｇ、グアヤコール２．５ないし２０ｍｇ、レゾルシノール２．５ないし２０ｍｇ、および界面活性乳化剤２００ないし２０００ｍｇ、並びにタンニン、チモール、オイゲノールおよび／またはアネトール０ないし２０ｍｇを含むことができる。
以下、下記実施例に基づいて本発明を更に詳細に説明する。
実施例
（１）組成物の製造
各成分を単に混合することにより、以下のような２種の組成物ＡおよびＢを製造した。
Ａ：エトキシル化ひまし油２ｇを水（７ｍｌ）およびプロピレングリコール（１ｍｌ）に溶解し、この溶液を敷料１平方メートルに一面に噴霧するために希釈する。
Ｂ：エトキシル化ひまし油２ｇ、並びにグアヤコール５ｍｇ、レゾルシノール５ｍｇおよびメタクレゾール５ｍｇを溶解したプロピレングリコール１ｍｌを、水７ｍｌに溶解し、この溶液を敷料１平方メートルに一面に噴霧するために希釈する。
（２）実験室的比較試験
従来より常用されている家禽用敷料にオーシストの個対数５，０００，０００／ｍ2で非スポロゾイト形成Ｅ・テネラを感染させ、３個の部分に分けた。最初の２個の部分はそれぞれ組成物ＡまたはＢに準じた組成物の一方で処理し、第３のものは処理しなかった（対照）。
２４時間後、オーシストを採取し、水を加え、２８℃で４８時間保持してスポロゾイト形成を行わせた。
次いで得られた３種の溶液を３群のひなに接種した。７日後、動物を殺し、病変を観察し、ジェイ・ジョンソンおよびダブリュー・エム・リード（エクスペリメンタル・パラサイトロジー２８巻（１号）３０−３６頁）の基準に従って計量した：
０  肉眼的病変なし
１  極めて僅かな病変
２  数個の病変
３  多数の病変
４  極めて多数の病変
実施した観察は、Ａ、Ｂにより処理した敷料および非処理敷料から得た３種の接種溶液について、パーセントで示すと下記の結果をもたらした。
0003851351.tif 000002
得られた結果から、ＡおよびＢと命名したこの発明の組成物による敷料の予備処理によってオーシストのスポロゾイト形成が実質的に減少したこと、および、病変の重さが減少したことからフェノール類（クレゾール、グアヤコールおよびレゾルシノール）の添加が界面活性剤の効果を向上させたことが、明らかにわかるであろう。
したがって、この結果は、この発明の組成物による家禽用敷料の処理が上記敷料中にあるオーシストの感染力の顕著な減少を可能にし、それにより家禽におけるコクシジウム症の害作用減少に対する大きな寄与を可能にすることを確認するものである。
最後に、この発明の組成物による敷料の処理と、従来のコクシジウム発育阻止剤による家禽用食餌の抗コクシジウム症処理を組み合わせることもまた可能である。